(57)【要約】【課題】情報端末機器のファンの故障を検知し、故障診断結果をサーバーに通知することを目的とする。【解決手段】モータによって回転するファン２と、ファンの回転の制御を行うファン制御部８と、ファンの故障を検出するファン故障検出手段１０と、送受信部１２を備え、これによって、正常時のファンの回転数と、実際に測定したファンの回転数を比較し、回転数の差が所定の値以上である場合は、ファンが故障していると判断し、自動的にサーバーに通知することができるので、利用者がファンの故障に気づかず、ファンが故障したまま使用し続け、製品全体が故障してしまうということを防ぐことができる。【選択図】  図２
2005004675.tif 000002
【特許請求の範囲】
【請求項１】
モータによって回転するファンと、被冷却物の周囲温度を測定する温度測定手段と、前記温度測定手段からの信号によりファンの回転の制御を行うファン制御部と、ファンの故障を検出するファン故障検出手段と、送受信部とを有し、前記送受信部は通信ネットワーク網を介してサーバーと接続しており、前記ファン故障検出手段がファンの故障を検知すると、前記ファンが故障したことをサーバーに通知することを特徴とする情報端末機器。
【請求項２】
ファンの回転数を検出するファン回転数検出手段と、ファン制御部が指示した回転数と前記ファン回転数検出手段が測定した前記ファンの回転数を比較する回転数比較手段とを有し、ファン故障検出手段は、前記ファン回転数検出手段により測定したファンの回転数と、ファン制御部により指示した指示回転数を、前記回転数比較手段によって比較し、比較結果から故障と判定した場合、送受信部は前記ファンが故障したことをサーバーに通知することを特徴とする、請求項１に記載の情報端末機器。
【請求項３】
ファンを動作する温度であるかどうかを判定する動作温度比較手段を有し、記憶手段は、ファンを動作する基準となる温度閾値を記憶し、ファン故障検出手段は、温度測定手段が測定した被冷却物の周囲温度と前記記憶手段に記憶した温度閾値を、前記動作温度比較手段により比較し、被冷却物の周囲温度が温度閾値より低いときに、ファン回転数検出手段により前記ファンが回転していることを検出した場合、前記ファンの故障信号を出力し、送受信部はファンが故障したことをサーバーに通知することを特徴とする、請求項１または２いずれか１項に記載の情報端末機器。
【請求項４】
ファン故障検出手段は、温度測定手段が測定した被冷却物の周囲温度と前記記憶手段に記憶した温度閾値を、動作温度比較手段により比較し、被冷却物の周囲温度が温度閾値より高いときに、ファン回転数検出手段により前記ファンが回転していないことを検出した場合、または、ファン回転数検出手段が測定した前記ファンの回転数と、ファン制御部が指示した指示回転数を比較し、比較結果から故障と判定した場合、前記ファンの故障信号を出力し、送受信部は前記ファンが故障したことをサーバーに通知することを特徴とする、請求項１から３いずれか１項に記載の情報端末機器。
【請求項５】
ファンが故障したことを報知するファン故障報知手段を有し、ファン故障検出手段が故障信号を出力したとき、前記ファン故障報知手段は、前記ファンの故障を利用者に報知することを特徴とする、請求項１から４いずれか１項に記載の情報端末機器。
【請求項６】
ファンの動作時間の積算値を測定する演算手段と、前記ファンの交換時期を判定する寿命判定手段と、記憶手段と、表示部とを有し、前記記憶手段は前記ファンを交換する基準となる寿命閾値を記憶し、前記寿命判定手段は、前記演算手段が測定した前記ファンの動作時間と、前記記憶手段に記憶した寿命閾値を比較し、前記ファンの動作時間が記憶手段に記憶した寿命閾値より長くなったとき、前記表示部に前記ファンの交換を促す表示を行うことを特徴とする、請求項１から５いずれか１項に記載の情報端末機器。
【請求項７】
寿命判定手段は、演算手段が測定したファンの動作時間と、記憶手段に記憶した寿命閾値を比較し、前記ファンの動作時間が記憶手段に記憶した寿命閾値より長くなったとき、送受信部は、前記ファンの動作時間が前記ファンの寿命を超えたことをサーバーに通知することを特徴とする請求項６に記載の情報端末機器。
【請求項８】
請求項１から７のいずれかに記載の情報端末機器が有する機能の少なくとも一部をコンピュータにより実行するためのプログラム。
【発明の詳細な説明】
【０００１】
【発明の属する技術分野】
本発明は、例えば電子部品やユニット部品などの被冷却物を冷却するファンを搭載する情報端末機器に関するものである。
【０００２】
【従来の技術】
従来、コンピュータなどの電子機器の中には、電子機器内に使用している電子部品の熱破壊を防止するため、冷却用のファンを搭載しているものがある。
【０００３】
冷却ファンには、ファンの回転数だけを検出しているもの、電子部品などの被冷却物の周囲温度を温度センサで測定し、一定温度以上になるとファンを動作させるものなど様々な種類があるが、ファンの故障は直ちに電子部品の破壊につながるので、ファンの故障を診断し、故障した場合はファンの故障を報知し、交換することが必要である（例えば、特許文献１参照）。
【０００４】
図１は、前記公報に記載された従来の給湯装置の故障診断の動作のフローを示す図である。
【０００５】
給湯装置に、燃焼ファンの回転数を検出するファン回転検出手段と、ファン回転数検出手段で検出されたファン回転数を時系列的に記憶する第１の記憶手段と、記憶手段で記憶されたファン回転数に基づいて該燃焼ファンの作動開始から一定時間までのファン回転数の変化量α１を演算する演算手段と、変化量α１を記憶する第２の記憶手段と、あらかじめ設定された基準値を記憶する第３の記憶手段とを備え、燃焼ファンが作動を開始すると（Ｓ−１）、ＣＰＵは、燃焼ファンの作動開始からの燃焼ファンの単位時間当たりの回転数を時系列的に記憶させながら（Ｓ−２）、所定時間Δｔ経過するのを待つ（Ｓ−３）。
【０００６】
所定時間Δｔ経過後、ＣＰＵは作動開始から所定時間Δｔ経過までの燃焼ファンの回転数の変化量α１を演算し、メモリに記憶する（Ｓ−４）。一方、ＣＰＵはメモリから、工場出荷時にあらかじめ記憶させておいた正常動作時の作動開始から所定時間Δｔ経過までの燃焼ファンの回転数の変化量α２を読み出し（Ｓ−５）、α２とα１との差がしきい値β１を越えたか否かを判断する（Ｓ−６）。
【０００７】
α２とα１との差がβ１を越えていなければ、燃焼ファン１５は正常運転の範囲内にあると判断できるので、回転数のデータをクリアして（Ｓ−７）、次回作動時の演算に備える。一方、α２とα１との差がβ１を越えている場合は、給排気部の目詰まりまたは燃焼ファンの劣化と判断し（Ｓ−８）、判断した故障の内容を故障データとしてメモリに記憶し（Ｓ−９）、リモートコントロール装置に警告を表示したり、ランプの点灯等で使用者に注意を喚起させる（Ｓ−１０）。
【０００８】
これにより、ファンの故障または劣化を診断し、表示やランプの点灯等で使用者にファンの故障を報知することができる。
【０００９】
ファンの故障検知の手段には様々な方法があるが、使用者への報知の手段は、このように表示部への表示や、ランプやＬＥＤによる報知が一般的である。
【００１０】
【特許文献１】
特開平８−１７８２７３号公報
【００１１】
【発明が解決しようとする課題】
しかしながら、上述したように前記従来の構成では、ファンを用いて内部の部品を冷却する機能を備えた製品は、ファンで冷却することで製品内部の部品を熱破壊から守ったり、動作温度補償範囲内で動作させるように設計されており、ファンの故障は、直ちに製品内部の温度上昇につながり、すぐさま電子部品の破壊や製品の故障につながるが、利用者にファンを交換する旨の報知を画面表示やＬＥＤ表示や警告音のみで行った場合は、利用者が気づかなかった場合や、外出している場合などは、ファンの故障に気づかず、すぐにファンの故障に対応できないという課題がある。
【００１２】
また、すぐにファンの故障に対応できないということは、被冷却物の温度上昇につながり、ファンの故障のみならず、製品全体に故障の被害が及ぶ可能性があるという課題があった。
【００１３】
また、ファンが故障したとき、利用者が販売店や製造元やメンテナンス会社などに連絡する必要があり、利用者に負担をかけるという問題があった。
【００１４】
本発明は、上記従来の課題を解決するもので、ファンを搭載する電子機器がファンの故障を自動的に検出し、ファンが故障したとき利用者に報知するとともに、ファンの故障をサーバーに通知する情報端末機器を提供することを目的とする。
【００１５】
【課題を解決するための手段】
前記従来の課題を解決するために、本発明の情報端末機器は、モータによって回転するファンと、被冷却物の周囲温度を測定する温度測定手段と、前記温度測定手段からの信号によりファンの回転の制御を行うファン制御部と、ファンの故障を検出するファン故障検出手段と、送受信部とを有し、前記送受信部は通信ネットワーク網を介してサーバーと接続し、前記ファン故障検出手段が故障信号を出力したとき、ファンが故障したことをサーバーに通知するものである。
【００１６】
これによって本発明は、機器に内蔵されているファンの故障を自動的に検出し、故障を検出したときはファンの故障情報をサーバーに通知することによって、管理会社や製造元へのファンの故障通知を自動化し、ファンの故障をサーバー側が直ちに把握することができる情報端末機器の提供を目的とする。
【００１７】
【発明の実施の形態】
請求項１に記載の発明は、モータによって回転するファンと、被冷却物の周囲温度を測定する温度測定手段と、前記温度測定手段からの信号によりファンの回転の制御を行うファン制御部と、ファンの故障を検出するファン故障検出手段と、送受信部とを有し、前記送受信部は通信ネットワーク網を介してサーバーと接続しており、前記ファン故障検出手段がファンの故障を検知すると、前記ファンが故障したことをサーバーに通知するものであり、上記構成、動作によると、ファン故障検出手段がファンの故障を検出したとき、前記送受信部はファンの故障情報を前記通信ネットワーク網を介してサーバーに通報することで、利用者が連絡しなくても自動的にファンの故障を通報することができる。
【００１８】
請求項２に記載の発明は、請求項１の発明に加えて、ファンの回転数を検出するファン回転数検出手段と、ファン制御部が指示した回転数と前記ファン回転数検出手段が測定した前記ファンの回転数を比較する回転数比較手段とを有し、ファン故障検出手段は、前記ファン回転数検出手段により測定したファンの回転数と、ファン制御部により指示した指示回転数を、前記回転数比較手段によって比較し、比較結果から故障と判定した場合、送受信部は前記ファンが故障したことをサーバーに通知するものであり、上記構成、動作によると、前記ファン制御部により指示されたファンの回転数と、前記ファン回転数により測定した実際のファンの回転数とを比較することで、ファンが正常に回転しているかどうかを自動的に判定し、異常がある場合は、ファンの故障情報を前記通信ネットワーク網を介して自動的にサーバーに通報することで、利用者が連絡しなくても自動的にファンの故障を通報することができる。
【００１９】
請求項３に記載の発明は、請求項１、２のいずれかに記載の発明に加えて、ファンを動作する温度であるかどうかを判定する動作温度比較手段を有し、記憶手段は、ファンを動作する基準となる温度閾値を記憶し、ファン故障検出手段は、温度測定手段が測定した被冷却物の周囲温度と前記記憶手段に記憶した温度閾値を、前記動作温度比較手段により比較し、被冷却物の周囲温度が温度閾値より低いときに、ファン回転数検出手段により前記ファンが回転していることを検出した場合、前記ファンの故障信号を出力し、送受信部はファンが故障したことをサーバーに通知するものであり、上記構成、動作によると、前記ファン故障検出手段は、温度測定手段により測定した温度が、ファンを動作させる温度閾値より低いときに、ファンが動作していることを検出すると、ファンでの冷却が必要でないときにファンが回転しているので故障であると判断し、ファンの故障情報を前記通信ネットワーク網を介して自動的にサーバーに通報することで、利用者は判断することができない、ファンが動作すべき温度であるかどうかを自動的に判断することができ、また、ファンが動作すべきでない温度でファンが回転しているときは、利用者が連絡しなくても自動的にファンの故障を通報することができる。
【００２０】
請求項４に記載の発明は、請求項１から３のいずれかに記載の発明に加えて、ファン故障検出手段は、温度測定手段が測定した被冷却物の周囲温度と前記記憶手段に記憶した温度閾値を、動作温度比較手段により比較し、被冷却物の周囲温度が温度閾値より高いときに、ファン回転数検出手段により前記ファンが回転していないことを検出した場合、または、ファン回転数検出手段が測定した前記ファンの回転数と、ファン制御部が指示した指示回転数を比較し、比較結果から故障と判定した場合、前記ファンの故障信号を出力し、送受信部は前記ファンが故障したことをサーバーに通知するものであり、上記構成、動作によると、前記ファン故障検出手段は、温度測定手段により測定した温度が、ファンを動作させる温度閾値より高いときに、ファンが動作していない、または正常の回転数で回転していないことを検出すると、ファンでの冷却が必要なときにファンが回転していない、または前記ファン制御手段からの指示通りの回転数でファンが回転していないので故障であると判断し、ファンの故障情報を前記通信ネットワーク網を介して自動的にサーバーに通報することで、利用者は判断することができない、ファンが動作すべき温度であるかどうかを自動的に判断することができ、また、ファンが動作すべき温度でファンが回転していないときや、ファンが指示通りの回転数で回転していないときは、利用者が連絡しなくても自動的にファンの故障を通報することができる。
【００２１】
請求項５に記載の発明は、請求項１から４いずれかに記載の発明に加えて、ファンが故障したことを報知するファン故障報知手段を有し、ファン故障検出手段が故障信号を出力したとき、前記ファン故障報知手段は、前記ファンの故障を利用者に報知するものであり、上記構成、動作によると、ファン故障報知手段はファンが故障した場合、利用者に自動的に故障を報知し、利用者がファンが故障したことを自動的に確認することができるので、故障に気づかないまま機器を使用し続けて、非冷却物までもが熱破壊するといった事態を防ぐことができる。
【００２２】
請求項６に記載の発明は、請求項１から５のいずれかに記載の発明に加えて、ファンの動作時間の積算値を測定する演算手段と、前記ファンの交換時期を判定する寿命判定手段と、記憶手段と、表示部を有し、記憶手段は、前記ファンを交換する基準となる寿命閾値を記憶し、前記寿命判定手段は、前記演算手段が測定した前記ファンの動作時間と、記憶手段に記憶した寿命閾値を比較し、前記ファンの動作時間が記憶手段に記憶した寿命閾値より長くなったとき、表示部に前記ファンの交換を促す表示を行うものであり、上記構成、動作によると、前記寿命判定手段は、演算手段が測定したファンの動作時間の積算値と前記ファンを交換する基準となる寿命閾値を比較し、動作時間の積算値が寿命閾値より長い場合は、ファンの交換を促す旨の表示を行うので、ファンが故障する前にファンを交換することで、ファンが冷却する被冷却物の熱破壊を確実に防止することができる。
【００２３】
請求項７に記載の発明は、請求項６に記載の発明に加えて、寿命判定手段は、演算手段が測定したファンの動作時間と、記憶手段に記憶した寿命閾値を比較し、前記ファンの動作時間が記憶手段に記憶した寿命閾値より長くなったとき、送受信部は、前記ファンの動作時間が前記ファンの寿命を超えたことをサーバーに通知するものであり、上記構成、動作によると、前記寿命判定手段は、演算手段が測定したファンの動作時間の積算値と前記ファンを交換する基準となる寿命閾値を比較し、比較結果が動作時間の積算値が寿命閾値より長い場合、前記送受信部は、比較結果を前記通信ネットワーク網を介してサーバーに通報することで、利用者が連絡しなくても自動的にファンが交換次期であることをサーバーに通知することができ、また、ファンが故障する前にファンを交換することで、ファンが冷却する被冷却物の熱破壊を確実に防止することができる。
【００２４】
請求項８に記載の発明は、請求項１から７のいずれかに記載の情報端末機器が有する機能の少なくとも一部をコンピュータにより実行するためのプログラムである。そしてプログラムであるので、コンピュータ等などを用いて本発明の情報端末機器の一部あるいは全部の機能を容易に実現することができる。
【００２５】
【実施例】
以下、本発明の実施例について、図面を参照しながら説明する。
【００２６】
（第１の実施例）
まず、第１の実施例の構成について、図２、図３を用いて説明する。
【００２７】
図２は、情報端末機器のブロック図を示すものである。
【００２８】
１は情報端末機器の本体である。
【００２９】
２は冷却用のファンであり、ファンが動作することにより、情報端末機器１に内蔵している電子部品または、情報端末機器内部の温度上昇を防いでいる。
【００３０】
３はファン回転数検出手段であり、ファン２の回転数の測定を行う。
【００３１】
４は被冷却物であり、情報端末機器１に内蔵されているＩＣなどである。ファン２が動作することによる冷却風または空気の対流により、被冷却物４は熱破壊を防止している。
【００３２】
５は温度測定手段であり、被冷却物または被冷却物の周囲に設けられており、情報端末機器１の内部の温度を測定している。
【００３３】
６は記憶手段であり、ファンを動作させる温度であるかどうかの判定を行う温度閾値や、ファンが正常に動作しているかどうかの判定を行う回転数閾値などの各種設定データなどを格納している。
【００３４】
７は動作温度比較手段であり、温度測定手段５による測定結果と、記憶手段６に格納されている温度閾値データを入力とし、比較結果を出力する。
【００３５】
８はファン制御部であり、動作温度比較手段７による比較結果を入力とし、ファン２の動作の制御を行う。
【００３６】
９は回転数比較手段であり、ファン回転数検出手段３による測定結果と、記憶手段６に格納されている回転数閾値データを入力とし、比較結果を出力する。
【００３７】
１０はファン故障検出手段であり、回転数比較手段９による比較結果を入力とし、ファンの故障検出を行う。
【００３８】
１１は表示部であり、情報端末機器１のアプリケーション画面の表示や、情報端末機器１が故障した場合などのエラー表示を行う。
【００３９】
１２は前記情報端末機器１からの情報をサーバーに送信、またはサーバーからの情報を受信するための送受信部である。
【００４０】
１３はファン故障報知手段であり、ファン故障検出手段１０がファンの故障を検知したときに、利用者にファンの故障を報知するためのＬＥＤやブザーである。
【００４１】
また、表示部１１にファンの故障表示を行うことで、表示部１１は、ファン故障検知手段１３の機能を持つことができる。
【００４２】
２１は前記情報機器端末とサーバーとを接続するネットワーク網である。
【００４３】
２２は管理会社に設置されているサーバーであり、前記情報機器端末１から送信されてくるデータを保持している。
【００４４】
２３はサーバー２２を管理する管理会社である。
【００４５】
次に本実施例の動作について図３を用いて説明する。
【００４６】
図３は、情報端末機器１に内蔵しているファンの故障をファン故障検出手段１０によって検出し、サーバー２２に通知するフローチャートを示す図である。
【００４７】
情報端末機器１に内蔵されている電子部品やユニット部品などは、各々熱の動作補償範囲が定められているものが一般的であり、その動作補償範囲を超えると、動作が不安定になったり、部品が破壊することがある。
【００４８】
そこで、被冷却物が動作保障温度範囲で動作する、または熱破壊を起こさない手段の一つとして、冷却用のファンを用いて、温度上昇を防止する場合がある。
【００４９】
温度測定手段５は、被冷却物４の周囲温度を測定している。
【００５０】
情報端末機器１の製品の寿命が、ファンの寿命より長い場合、ファンを連続動作させず、所定の温度以上になった場合のみ動作させるといった機能が必要であるので、温度測定手段５によって、被冷却物４の周囲温度を測定する（Ａ−１）。
【００５１】
ファン自身に温度測定機能を備えているものがあるが、被冷却物の周囲温度とファン自身が測定する温度の相関関係から、ファンを動作させる温度を設定すればよいので、その機能は等しく、効果は変わらない。
【００５２】
動作温度比較手段７は、温度測定手段５が測定した被冷却物４の周囲温度α１と、記憶手段６に記憶している、ファン２を動作させる温度かどうかの基準となる動作温度閾値α２の比較を行う（Ａ−２）。動作温度閾値の値は、このまま使用し続ければ、被冷却物の動作温度補償範囲を超えるか、熱破壊を起こす温度として、あらかじめ定められたものである。
【００５３】
比較した結果、ファンの周囲温度α１が動作温度閾値α２よりも高く、このまま動作し続ければ、被冷却物の動作温度補償範囲を超えるか、熱破壊を起こす可能性があるので、ファン制御部８により、ファン２を動作させる（Ａ−３）。
【００５４】
比較した結果が、ファンの周囲温度が動作温度閾値よりも低い場合は、温度測定手段５により、被冷却物の周囲温度の測定を継続する。
【００５５】
ファン２が動作すると、ファン回転数検出手段３はファンの回転数を測定する（Ａ−４）。
【００５６】
回転数比較手段９は、ファン回転数検出手段３が測定したファン２の回転数と、記憶手段６に記憶している、ファン２が正常に動作しているかどうかの判定を行う回転数閾値の比較を行う（Ａ−５）。回転数閾値は、ファン２の正常動作時の回転数であり、あらかじめ定められたものである。
【００５７】
ファンが正常に動作しているかどうかの判定を、回転数比較手段９では、例えば、ファン回転数検出手段３で測定したファンの回転数β１と、記憶手段６に記憶している正常時のファンの回転数（回転数閾値）β２の比較を行い、その結果を出力する。
【００５８】
ファン故障検出手段１０は、回転数比較手段９の比較結果から、ファン回転数検出手段３で測定したファンの回転数β１と、記憶手段６に記憶している正常時のファンの回転数（回転数閾値）β２の差が、所定の値Ｔｈ２以上である場合は、ファン２が故障であると判断し、ファンの故障情報を出力する（Ａ−６）。
【００５９】
なお、ファンが全く回転していない場合の回転数は０であり、正常時のファンの回転数（回転数閾値）β２の差が、所定の値Ｔｈ２以上であるので、ファン２が故障であると判断し、ファンの故障情報を出力する。
【００６０】
ファン２が故障している場合は、送受信部１２はファン２が故障した旨の通報を管理会社などのサーバーに通報する（Ａ−７）。
【００６１】
また、同時にファン２が故障した旨の表示を、情報端末機器１の表示部１１に行う（Ａ−８）。
【００６２】
このようにして、正常時のファンの回転数と、実際に測定したファンの回転数を比較し、回転数の差が所定の値以上である場合はファンが故障していると判断し、故障情報を自動的にサーバーに通知することができるので、利用者がファンの故障に気づかず、ファンが故障したまま使用し続け、製品全体が故障してしまうということを防ぐことができる。
【００６３】
また、ファンの故障を自動的に検出し、ファンが故障した場合、自動的にサーバーに通知するので、管理会社では、直ちに故障情報を得ることができるので、例えば、ファンの交換や部品の手配などの対応を、利用者からの依頼の連絡が入る前に行うことができる。
【００６４】
なお、被冷却物の周囲温度を測定し、所定の温度以上になった場合にファンを動作させるという機能を有していないファンを搭載している機器において、ファンの故障を検出しサーバーに通知する場合でも、ファンの故障を自動的に検出しサーバに通知することができるので、その効果は変わらない。
【００６５】
（第２の実施例）
次に図４を用いて第２の実施例について説明する。
【００６６】
第２の実施例は、第１の実施例に加えて、被冷却物の周囲温度が被冷却物４の動作温度補償範囲より低く、ファン２の動作が必要ないときに、ファンの動作を検知した場合について述べるものであり、その他の構成、動作は第１の実施例と同じである。
【００６７】
そこで以下では第２の実施例の構成、動作について、第１の実施例との相違点を中心に述べ、その他の構成、動作については第１の実施例と同じものとする。
【００６８】
次に第２の実施例の動作について、図４を用いて説明する。
【００６９】
第２の実施例の基本的な制御の流れは、第１の実施例と同じであり、つまりステップ（Ｂ−１）から（Ｂ−８）までは図３と共通であるから省略し、図３と異なる点を中心に述べる。
【００７０】
温度測定手段５によって、被冷却物の周囲温度を測定する（Ｂ−１）。
【００７１】
動作温度比較手段７は、温度測定手段５が測定した被冷却物４の周囲温度α１と、記憶手段６に記憶している、ファン２を動作させる温度かどうかの基準となる動作温度閾値α２の比較を行う（Ｂ−２）。
【００７２】
比較した結果、ファン２の周囲温度α１が動作温度閾値α２よりも高く、このまま動作し続ければ、被冷却物の動作温度補償範囲を超えるか、熱破壊を起こす可能性があるので、ファン制御部８により、ファン２を動作させる（Ｂ−３）。
【００７３】
比較した結果、ファン２の周囲温度α１が動作温度閾値α２よりも低い場合は、被冷却物を冷却する必要がない、つまりファン２を動作させる必要がないので、ファン回転数検出手段３は、ファン２が停止しているかどうかを確認する（Ｂ−９）。
【００７４】
ファン２が停止している場合は、被冷却物４の周囲温度の測定を継続する（Ｂ−１）。
【００７５】
ファン２が動作している場合は、被冷却物を冷却する必要がない状態でファンが動作しているため、ファン故障検出手段１０は、ファン２が故障であると判断し、ファン２の故障情報を出力する。
【００７６】
このようにして、被冷却物の周囲温度が被冷却物の動作温度補償範囲より低く、ファンの動作が必要ないときに、ファンが動作していないかどうかを検出することで、ファンが必要ないときに動作していないかどうか確認することでファンの故障を検出することができ、また、故障している場合は自動的にサーバーに通知することができるので、利用者がファンの故障に気づかず、ファンが故障したまま使用し続け、製品全体が故障してしまうということを防ぐことができる。
【００７７】
また、ファンの故障を自動的に検出し、ファンが故障した場合、自動的にサーバーに通知するので、管理会社では、直ちに故障情報を得ることができるので、例えば、ファンの交換や部品の手配などの対応を、利用者からの依頼の連絡が入る前に行うことができる。
【００７８】
（実施例３）
次に図５、図６を用いて第３の実施例について説明する。
【００７９】
第３の実施例は、第１、第２の実施例に加えて、ファンの積算動作時間を測定し、測定結果からファンの交換時期を利用者に報知したり、サーバーに報知する場合について述べるものであり、その他の構成、動作は第１、第２の実施例と同じである。
【００８０】
そこで以下では第３の実施例の構成、動作について、第１、第２の実施例との相違点を中心に述べ、その他の構成、動作については第１、第２の実施例と同じものとする。
【００８１】
次に第３の実施例の構成について、図５を用いて説明する。
【００８２】
図５はファン２の交換時期を判定する機能を備えた情報端末機器のブロック図を示すものである。
【００８３】
３１はファン２の動作時間の積算値を測定する、演算手段である。
【００８４】
３２はファン２の動作時間の積算値を記憶する、動作時間記憶手段である。
【００８５】
３３はファン２が交換時期であるかどうかの判定を行う、寿命判定手段である。
【００８６】
次に第３の実施例の動作について、図６を用いて説明する。
【００８７】
演算手段３１はファン２が動作し始めると、ファン２の動作時間を測定し始める（Ｃ−２）。そして、所定の時間毎に、ファン２の動作時間の積算値を演算する（Ｃ−３）。
【００８８】
寿命判定手段３３は、演算手段３１が測定したファン２の積算動作時間と、記憶手段６に記憶している、ファン２を交換する目安となるファン２の寿命閾値の比較を行う（Ｃ−４）。寿命閾値は、ファン２を交換する目安として、あらかじめ設定されているものである。
【００８９】
回転数比較手段９は、例えば、演算手段３１が測定したファン２の積算動作時間γ１と、記憶手段６に記憶しているファン２の寿命閾値γ２の比較を行い、その結果を出力する。
【００９０】
比較した結果、ファン２の積算動作時間γ１が寿命閾値γ２を超えていない場合は、ファン２の積算動作時間を動作時間記憶手段３２に記憶する（Ｃ−５）。
【００９１】
ファン２の積算動作時間γ１が寿命閾値γ２を超えている場合は、ファン２の寿命であると判断する（Ｃ−６）。
【００９２】
ファン２の積算動作時間γ１が寿命閾値γ２を超えている場合は、このまま使用するとファン２が故障する可能性があるので、ファンを交換する必要があるので、送受信部１２はファンが寿命である旨の通報を管理会社などのサーバーに通報する（Ｃ−７）。
【００９３】
また、同時にファンが故障した旨の表示を、情報端末機器１の表示部１１に行う（Ｃ−８）。
【００９４】
このようにして、ファンの動作時間の積算値を測定し、あらかじめ設定されたファンの交換の目安となる寿命閾値との比較を行い、ファンの動作時間がファンの寿命を超えていることを自動的に検出することで、ファンが故障する前にファンの交換を行うことができるので、ファンが故障し被冷却物が熱破壊を起こすなどの不具合が起こることを事前に防止することができる。
【００９５】
また、ファンの寿命を自動的に検出し、自動的にサーバーに通知するので、管理会社では、例えば、ファンの交換や部品の手配などの対応を、利用者からの依頼の連絡が入る前に行うことができる。
【００９６】
また、ファンの動作時間がファンの寿命を超えていることを検出したり故障を検知すると、ファンを交換したり修理するまでのあいだネットを通じて遠隔操作で情報端末機器を停止させたり、ＣＰＵの演算速度を落とす、ネットの通信速度を落として高温化を防ぐことも考えられる。
【００９７】
【発明の効果】
以上のように、本発明によれば、正常時のファンの回転数と、実際に測定したファンの回転数を比較し、回転数の差が所定の値以上である場合はファンが故障していると判断し、故障情報を自動的にサーバーに通知することができるので、利用者がファンの故障に気づかず、ファンが故障したまま使用し続け、製品全体が故障してしまうということを防ぐことができる。
【図面の簡単な説明】
【図１】従来の給湯装置の故障診断の動作のフローチャート
【図２】本発明の第１の実施例の情報端末機器の構成図
【図３】本発明の第１の実施例のファンの故障診断報知の動作のフローチャート
【図４】本発明の第２の実施例のファンの故障診断報知の動作のフローチャート
【図５】本発明の第３の実施例の情報端末機器の構成図
【図６】本発明の第３の実施例のファンの交換報知の動作のフローチャート
【符号の説明】
１  情報端末機器
２  ファン
３  ファン回転数検出手段
４  被冷却物
５  温度測定手段
６  記憶手段
７  動作温度比較手段
８  ファン制御部
９  回転数比較手段
１０  ファン故障検出手段
１１  表示部
１２  送受信部
１３  ファン故障報知手段
２１  ネットワーク網
２２  サーバー
２３  管理会社
３１  演算手段
３２  動作時間記憶手段
３３  寿命判定手段
【図１】
2005004675.tif 000003
【図２】
2005004675.tif 000004
【図３】
2005004675.tif 000005
【図４】
2005004675.tif 000006
【図５】
2005004675.tif 000007
【図６】
2005004675.tif 000008